(57)【要約】【課題】  例えば、写真フィルムがフィルムキャリアにセットされるまでの間に静電気を帯び、この静電気により、埃が付着していることがあっても、該フィルムキャリア内において、フィルムにおける埃を、静電気を抑制した状態で、良好に除去でき、それだけプリント画像への埃の写り込みや埃によるフィルムへのキズ付きといった埃による影響を抑制することができるフィルムキャリアを提供する。【解決手段】  フィルムキャリア６４０は、写真フィルムＦの少なくとも一方の面に臨むように設けられ、該フィルム面における空気をイオン化し、該イオン化された空気により該フィルム面における静電気を中和することで該静電気を除電する除電部６４７ａ，６４７ｂを備えたイオン静電気除去装置６４５と、フィルムＦの少なくとも一方の面における埃を除去可能に配置された埃除去ブラシ６４４ａ，６４４ｂとを備えている。【選択図】  図２
2005099250.tif 000002
【特許請求の範囲】
【請求項１】
写真フィルムが搬送されるフィルム搬送路を有し、該フィルム搬送路の途中に、光源からの光が照射される開口孔が設けられたフィルムキャリアにおいて、
前記フィルム搬送路を搬送される前記写真フィルムの少なくとも一方の面に臨むように設けられ、該フィルム面における空気をイオン化し、該イオン化された空気により該フィルム面における静電気を中和することで該静電気を除電する除電部を備えたイオン静電気除去装置と、
前記フィルム搬送路を搬送される前記写真フィルムの少なくとも一方の面における埃を除去可能に配置された埃除去ブラシと
を備えていることを特徴とするフィルムキャリア。
【発明の詳細な説明】
【技術分野】
【０００１】
本発明は、写真フィルムが搬送されるフィルム搬送路を有し、該フィルム搬送路の途中に、光源からの光が照射される開口孔が設けられたフィルムキャリアに関する。
【背景技術】
【０００２】
従来の写真処理装置においては、例えば、写真フィルムが搬送されるフィルム搬送路を有し、該フィルム搬送路の途中に、光源からの光が照射される開口孔が設けられたフィルムキャリアを用い、該フィルムキャリアにて搬送され、開口孔で光照射された写真フィルムからの画像光を感光材料に照射してプリントする場合、該フィルムキャリアにて搬送され、開口孔で光照射された写真フィルムからの画像光を画像読取装置（例えば、スキャナー）にて画像情報として読み取り、該読み取った画像情報を画像処理し、さらに該画像処理された画像情報に基づいて画像光を感光材料に照射してプリントする場合等がある。前記のフィルムキャリアは、例えば、フィルム搬送路におけるフィルム接触部（具体的に例示すれば、開口孔周縁部に、該開口孔で写真フィルムのフィルム面を横切る方向の位置が安定するように設けられたガイド部など）に、搬送される写真フィルムが接触することがある。
【０００３】
このような写真処理装置では、写真フィルムからの画像光を感光材料に照射して写真フィルムからプリントする際や、写真フィルムからの画像光を画像読取装置で読み込む際に、フィルムキャリアに写真フィルムがセットされ、写真処理作業が行われるのであるが、このとき、フィルムキャリアにセットされる写真フィルムに埃が付着（主として静電気により埃が付着）していることがあり、この場合、写真フィルムに付着している埃で、プリント画像に埃が写り込んだり、例えば写真フィルムがフィルムキャリアの開口孔に搬送されるときに該写真フィルムにおける埃が開口孔周縁部のガイド部に接触することで該写真フィルムにキズが付いたりするといったことがある。
【０００４】
写真フィルムにおける埃（主として静電気により付着した埃）に対する前記の不具合を解消するために、従来は、例えば、（ａ）写真フィルムの搬送方向において、フィルムキャリアの上流側に静電気除電ブラシを配置し、写真フィルムがフィルムキャリアにセットされる前に、静電気除電ブラシにて写真フィルムにおける静電気を除電しつつ該除電された写真フィルムにおける埃を落とすことや、（ｂ）フィルムキャリア内に該フィルムキャリアにセットされる写真フィルムにおける埃を除去する埃除去ブラシを配置し、この埃除去ブラシにて写真フィルムにおける埃を落とすことが行われ、写真フィルムにおける埃による影響を極力抑えるようにしている。
【発明の開示】
【発明が解決しようとする課題】
【０００５】
しかしながら、前記の（ａ）及び（ｂ）のいずれにおいても、プリント画像への埃の写り込みや埃による写真フィルムへのキズ付きといった埃による影響を十分に抑え切れていないのが実情である。さらに言えば、前記（ａ）のように、写真フィルムがフィルムキャリアにセットされる前に静電気除電ブラシにて写真フィルムにおける静電気を除電しつつ該除電された写真フィルムにおける埃を落としたとしても、例えば、写真フィルムがフィルムキャリアにセットされるまでの間に静電気を帯び、写真フィルムがフィルムキャリアにセットされるときに、この静電気により、埃が付着していることがある。また、前記（ｂ）のように、フィルムキャリア内の埃除去ブラシにて写真フィルムにおける埃を取り除く場合、かかる埃除去ブラシは実質的に写真フィルムの静電気を除電する機能を有しておらず、従って、この埃除去ブラシにて埃を取り除こうとしても写真フィルムが静電気を帯びていることで、埃を取り除き難い。
【０００６】
本発明は、前記問題に鑑みてなされたもので、写真フィルムが搬送されるフィルム搬送路を有し、該フィルム搬送路の途中に、光源からの光が照射される開口孔が設けられたフィルムキャリアであって、例えば、写真フィルムがフィルムキャリアにセットされるまでの間に静電気を帯び、写真フィルムがフィルムキャリアにセットされるときに、この静電気により、埃が付着していることがあっても、該フィルムキャリア内において、写真フィルムにおける埃を、写真フィルムにおける静電気を抑制した状態で、良好に除去でき、それだけプリント画像への埃の写り込みや埃による写真フィルムへのキズ付きといった埃による影響を抑制することができるフィルムキャリアを提供することを課題とする。
【課題を解決するための手段】
【０００７】
本発明は前記課題を解決するため、写真フィルムが搬送されるフィルム搬送路を有し、該フィルム搬送路の途中に、光源からの光が照射される開口孔が設けられたフィルムキャリアにおいて、前記フィルム搬送路を搬送される前記写真フィルムの少なくとも一方の面に臨むように設けられ、該フィルム面における空気をイオン化し、該イオン化された空気により該フィルム面における静電気を中和することで該静電気を除電する除電部を備えたイオン静電気除去装置と、前記フィルム搬送路を搬送される前記写真フィルムの少なくとも一方の面における埃を除去可能に配置された埃除去ブラシとを備えていることを特徴とするフィルムキャリアを提供する。
【０００８】
本発明に係るフィルムキャリアでは、該フィルムキャリア内において、前記イオン静電気除去装置を備えており、このイオン静電気除去装置の除電部が、前記写真フィルムの少なくとも一方の面に臨むように設けられ、該フィルム面における空気をイオン化し、該イオン化された空気により該フィルム面における静電気を中和することで該静電気を除電する。また、該フィルムキャリア内において、前記埃除去ブラシを備えており、この埃除去ブラシが、前記写真フィルムの少なくとも一方の面における埃を除去する。
【０００９】
このように本発明に係るフィルムキャリアによると、該フィルムキャリア内において設けられた前記イオン静電気除去装置の前記除電部が前記写真フィルムの少なくとも一方の面における静電気を除電し、また、該フィルムキャリア内において設けられた前記埃除去ブラシが前記写真フィルムの少なくとも一方の面における埃を除去するので、例えば、写真フィルムがフィルムキャリアにセットされるまでの間に静電気を帯び、写真フィルムがフィルムキャリアにセットされるときに、この静電気により、埃が付着していることがあっても、該フィルムキャリア内において、写真フィルムにおける埃を、写真フィルムにおける静電気を抑制した状態で、良好に除去でき、それだけプリント画像への埃の写り込みや埃による写真フィルムへのキズ付きといった埃による影響を抑制することができる。
【００１０】
本発明に係るフィルムキャリアに用いることができる写真処理装置としては、代表的には、光照射された写真フィルムからの画像光を感光材料に照射してプリントする写真処理装置や、光照射された写真フィルムからの画像光を画像読取装置（例えば、スキャナー）にて画像情報として読み取り、該読み取った画像情報を画像処理し、さらに該画像処理された画像情報に基づいて画像光を形成し、該画像光を感光材料に照射してプリントする写真処理装置等を例示できる。
【００１１】
本発明に係るフィルムキャリアでは、前記埃除去ブラシ及び前記イオン静電気除去装置の前記除電部は、前記フィルム搬送路を搬送される前記写真フィルムのフィルム搬送方向において前記開口孔より上流側に配置されることが好ましい。さらに好ましくは、前記フィルム搬送方向において前記開口孔より上流側近傍に配置されてもよい。こうすることで、前記開口孔より前記フィルム搬送方向上流側で前記写真フィルムにおける埃が除去され、それだけプリント画像への埃の写り込みを抑制することができる。
【００１２】
本発明に係るフィルムキャリアでは、前記埃除去ブラシ及び前記イオン静電気除去装置の前記除電部は、前記フィルム搬送方向において前記フィルム搬送路における前記写真フィルムに接触され得る箇所（例えば、前記開口孔周縁部に、該開口孔で前記写真フィルムのフィルム面を横切る方向の位置が安定するように設けられたガイド部）より上流側に配置されることが好ましい。さらに好ましくは、前記フィルム搬送方向において前記フィルム搬送路における前記写真フィルムに接触され得る箇所より上流側近傍に配置されてもよい。こうすることで、前記フィルム搬送路における前記写真フィルムに接触され得る箇所より前記フィルム搬送方向上流側で前記写真フィルムにおける埃が除去され、それだけ埃による前記写真フィルムへのキズ付きを抑制することができる。
【００１３】
本発明に係るフィルムキャリアにおいて、前記埃除去ブラシは、前記イオン静電気除去装置の前記除電部が設けられる側のフィルム面に配置されることが好ましい。例えば、写真フィルムの一方の面又は他方の面に前記イオン静電気除去装置の前記除電部が設けられる場合には、該一方の面又は該他方の面に前記埃除去ブラシを配置することが好ましい。また、写真フィルムの両面に前記イオン静電気除去装置の前記除電部が設けられる場合には、該両面に前記埃除去ブラシを配置することが好ましい。この場合、前記埃除去ブラシの配置としては、前記フィルム搬送方向において前記イオン静電気除去装置の前記除電部より下流側に配置される場合、前記イオン静電気除去装置の前記除電部と前記写真フィルムとの間に配置される場合を例示できる。後者のように前記埃除去ブラシが前記イオン静電気除去装置の前記除電部と前記写真フィルムとの間に配置される場合には、前記イオン静電気除去装置の前記除電部が、前記埃除去ブラシ近傍の空気をイオン化し、該イオン化された空気により前記写真フィルムの少なくとも一方の面における静電気を中和することで該静電気を除電しつつ前記埃除去ブラシが前記写真フィルムの該静電気が除電された面における埃を除去することができる。この場合、前記写真フィルムにおける静電気の除電後に前記写真フィルムが再度帯電されることなしに前記写真フィルムにおける埃を除去するので、該写真フィルムにおける埃を、該写真フィルムにおける静電気を確実に除去した状態で、除去することができる。
【００１４】
本発明に係るフィルムキャリアにおいて、前記イオン静電気除去装置及び前記埃除去ブラシは複数備えられてもよい。
【００１５】
前記イオン静電気除去装置としては、例えば、高電圧を発生させる高電圧発生回路部と、前記高電圧発生回路部からの高電圧が印加されることで空気をイオン化するニードル電極（前記除電部の一例）を備えたものを挙げることができる。
【発明の効果】
【００１６】
以上説明したように本発明によると、写真フィルムが搬送されるフィルム搬送路を有し、該フィルム搬送路の途中に、光源からの光が照射される開口孔が設けられたフィルムキャリアであって、例えば、写真フィルムがフィルムキャリアにセットされるまでの間に静電気を帯び、写真フィルムがフィルムキャリアにセットされるときに、この静電気により、埃が付着していることがあっても、該フィルムキャリア内において、写真フィルムにおける埃を、写真フィルムにおける静電気を抑制した状態で、良好に除去でき、それだけプリント画像への埃の写り込みや埃による写真フィルムへのキズ付きといった埃による影響を抑制することができるフィルムキャリアを提供することができる。
【発明を実施するための最良の形態】
【００１７】
以下、本発明に係る実施の形態について図面を参照しながら説明する。図１は本発明に係るフィルムキャリアの一例を備えた写真処理装置の一実施形態の全体概略図である。
【００１８】
図１に示す写真処理装置Ａは画像処理装置１と画像露光現像装置２とで構成されている。画像処理装置１はスキャナー６００と主制御装置９０とを備えている。
【００１９】
スキャナー６００は、３５ｍｍフィルムやＡＰＳフィルム等の写真フィルムＦを走査し該フィルムＦにおける写真画像を読み取るとともに読み取られた画像情報をデジタル変換してデジタル画像を取得するものである。なお、本例では、３５ｍｍフィルムの写真フィルムＦにおける写真画像を読み取る場合について説明する。主制御装置９０は、画像処理装置１の制御を含む写真処理装置Ａ全体を制御するものであり、制御部９１（後述する図４参照）を備えている。
【００２０】
画像処理装置１は、前記のスキャナー６００にて読み取られた画像情報を表示する画像表示手段２０（ここではＣＲＴモニター）をさらに備えている。また、画像露光現像装置２は、制御部９１から送られてくる画像情報に基づいて写真感光材料に露光処理を施す露光装置６３（図１では図示せず、後述する図４参照）と、露光装置６３で露光処理された感光材料に現像処理を施す現像処理装置６１（同じく図４参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００２１】
図２に図１に示すスキャナー６００の要部概略断面図を示し、図３に図１に示すスキャナー６００に配置されるフィルムキャリア６４０の開いた状態の概略斜視図を示す。
【００２２】
スキャナー６００は、既述したように、写真フィルムＦを走査し該フィルムＦにおける写真画像を読み取りして画像情報を取得するものであり、図２に示すように、光源部６１０、撮像部６２０及び結像部６３０並びにフィルムＦが所定のフィルム搬送方向（図２及び図３中Ｙ方向）に搬送されるフィルム搬送路６４１を有し、該フィルム搬送路６４１の途中に、光源部６１０からの光Ｌが照射されるスリット状の開口孔Ｈａ，Ｈｂが設けられた前記のフィルムキャリア６４０を備えている。
【００２３】
このスキャナー６００では、フィルムキャリア６４０にて写真フィルムＦをフィルム搬送方向Ｙに沿って搬送するとともに、このフィルムキャリア６４０にて搬送されたフィルムＦに対して光源部６１０から開口孔Ｈａ，Ｈｂに向けて光Ｌを照射し、光源部６１０からフィルムＦを介して到来する透過光（画像光）Ｌ’を結像部６３０で撮像部６２０に結像させて画像を読み取る。フィルムＦの走査は、フィルムＦが搬送方向Ｙ（副走査方向）及び該方向Ｙとは直交する主走査方向（図３中Ｘ方向）に走査されることでなされる。この走査により到来する画像光Ｌ’が結像部６３０により撮像部６２０に結像し、画像が読み取られる。
【００２４】
光源部６１０は、所定の光を発光する発光ダイオード（以下、ＬＥＤという）素子６１１を備えている。ＬＥＤ素子６１１は、ここでは、複数のＬＥＤを主走査方向にライン状に並べたＬＥＤライン光源である。
【００２５】
撮像部６２０は、撮像素子６２１を備えている。この撮像素子６２１は、ここでは、ライン状のＣＣＤ（Charge Coupled Device：電荷結合素子）であり、ＬＥＤ素子６１１から写真フィルムＦを介して到来する画像光Ｌ’を受光して画像情報を読み取ることができる。
【００２６】
結像部６３０は、写真フィルムＦと撮像部６２０との間の光路上に配置され、フィルムＦからの透過光（画像光）Ｌ’をＣＣＤ６２１に結像させる結像レンズ６３１を含んでいる。
【００２７】
フィルムキャリア６４０は、図３に示すように、一端部同士が蝶着されて開閉可能に構成された一対のベース部６４ａ，６４ｂを備えており、このベース部６４ａ，６４ｂにおいて、写真フィルムＦを搬送する搬送機構６４を構成している。なお、一対のベース部６４ａ，６４ｂには、それぞれ前記のスリット状開口孔Ｈａ，Ｈｂが形成されている。
【００２８】
ベース部６４ａ，６４ｂは、これらを閉じたときに、フィルム搬送路６４１（図２も参照）が形成されるように、それぞれ設けられたフィルム搬送方向Ｙに延びるガイド溝６４ａ’，６４ｂ’を有している。
【００２９】
搬送機構６４は、写真フィルムＦが搬送されるフィルム搬送路６４１において、ローラ等で構成されている。さらに説明すると、この搬送機構６４では、一方のベース部６４ａに設けられた複数の搬送ローラ６４１ａと、他方のベース部６４ｂに設けられた複数の搬送ローラ６４１ｂとが、一対のベース部６４ａ，６４ｂを閉じたときに、互いに対向するように接触配置される。この複数の搬送ローラ６４１ａ，６４１ｂは、ベース部６４ａ，６４ｂそれぞれのガイド溝６４ａ’，６４ｂ’の幅方向Ｘの両端部に位置し、且つ、フィルム搬送方向Ｙに所定間隔で配置されている。
【００３０】
さらに搬送ローラ６４１ａ，６４１ｂは、ガイド溝幅方向Ｘの両端部においてフィルム搬送方向Ｙに所定間隔をおいて形成された孔部に、ローラ軸がガイド溝幅方向Ｘに沿うように配置されており、外周面の一部がガイド溝６４ａ’，６４ｂ’の底面から突出させた状態で、該孔部に回転可能に枢支されている。他方のガイド溝６４ｂ’のローラ６４１ｂは、モータ６４３の駆動軸６４３ａに無端ベルト６４３ｂを介して回転駆動するように構成され、一方のガイド溝６４ａ’の搬送ローラ６４１ａは、ローラ６４１ｂの回転駆動に伴って、或いは搬送される写真フィルムＦの移動に伴って、従動するように回転自在に配設されている。
【００３１】
また、フィルム搬送路６４１は、該フィルム搬送路６４１を搬送されるフィルムＦに記録された写真画像を前記ライン状ＣＣＤ６２１で読み取る画像読取部６４２を有している。
【００３２】
この画像読取部６４２では、一方のガイド溝６４ａ’側に二つの従動ローラ６４２ａが設けられており、他方のガイド溝６４ｂ’に二つの駆動ローラ６４２ｂが設けられている。駆動ローラ６４２ｂは、前記のモータ６４３にて回転駆動するように構成され、従動ローラ６４２ａは、駆動ローラ６４２ｂの回転駆動に伴って、或いは搬送される写真フィルムＦの移動に伴って、従動するように回転自在に配設されている。
【００３３】
また、他方のベース部６４ｂの底部におけるスリット状開口孔Ｈｂと、一方のベース部６４ａの底部におけるスリット状開口孔Ｈａとは、これらのベース部６４ａ，６４ｂを閉じたとき互いに対向するように形成されており、搬送中の写真フィルムＦの撓みや捻れ等を防止すべく，スリット状開口孔Ｈａ，Ｈｂ周縁部に沿って該開口孔Ｈａ，ＨｂでフィルムＦのフィルム面を横切る方向（例えば、図２及び図３中Ｚ方向）の位置が安定するように凸状のガイド部６４ｂ”が設けられている。このガイド部６４ｂ”が、例えば、フィルム搬送路６４１における写真フィルムＦに接触され得る箇所となる。
【００３４】
駆動ローラ６４２ｂ及び従動ローラ６４２ａは、いずれも円柱状をなしており、写真フィルムＦとの接触により、フィルムＦへの損傷を防止すべく、外周面の摩擦係数が小さいものに設定されている。このように構成された二つの駆動ローラ６４２ｂ及び二つの従動ローラ６４２ａは、フィルム搬送方向Ｙにおいてスリット状開口孔Ｈｂ，Ｈａを間にして上流側及び下流側でそれぞれベース部６４ｂ，６４ａに枢着されている。
【００３５】
フィルムキャリア６４０はさらに、ガイド溝６４ａ’ ，６４ｂ’の底部において、写真フィルムＦの少なくとも一方の面（本例では、両面）における埃を除去可能に設けられた埃除去ブラシ６４４ａ，６４４ｂを備えている。さらに説明すると、図２及び図３に示すように、フィルムキャリア６４０では、ガイド溝６４ａ’ ，６４ｂ’の底部のフィルム搬送方向Ｙにおいて開口孔Ｈａ，Ｈｂより上流側近傍にそれぞれ設けられたブラシ配置用貫通孔ｈａ，ｈｂを有しており、この貫通孔ｈａ，ｈｂに埃除去ブラシ６４４ａ，６４４ｂがそれぞれ嵌着されている。埃除去ブラシ６４４ａ，６４４ｂは、図２に示すように、複数のブラシ毛６４４’（本例ではカーボンブラシ毛）と、このブラシ毛６４４’を束ねて保持する保持部６４４”とからなっている。
【００３６】
このように構成されたフィルムキャリア６４０においては、ガイド溝６４ａ’，６４ｂ’同士を対向させるように、一対のベース部６４ａ，６４ｂを閉じることで、一方のベース部６４ａに枢着された搬送ローラ６４１ａ及び従動ローラ６４２ａと、他方のベース部６４ｂに枢着された搬送ローラ６４１ｂ及び駆動ローラ６４２ｂとが当接するとともに、一方のベース部６４ａに配置された埃除去ブラシ６４４ａと、他方のベース部６４ｂに配置された埃除去ブラシ６４４ｂとが当接した状態で、ガイド溝６４ａ’，６４ｂ’同士が接続されてフィルム搬送路６４１を形成するように構成される。さらに言えば、当接状態にある搬送ローラ６４１ａ，６４１ｂ並びに従動ローラ６４２ａ及び駆動ローラ６４２ｂが写真フィルムＦを挟持状態で搬送するように、且つ、当接状態にある埃除去ブラシ６４４ａ，６４４ｂが写真フィルムＦの両面に接触するように構成される。
【００３７】
このフィルムキャリア６４０はさらに、イオン静電気除去装置６４５を備えている。このイオン静電気除去装置６４５は、フィルム搬送路６４１を搬送される写真フィルムＦの少なくとも一方の面（本例では、両面）に臨むように設けられ、該フィルム面における空気をイオン化し、該イオン化された空気により該フィルム面における静電気を中和することで該静電気を除電する除電部６４７ａ，６４７ｂを備えている。さらに言えば、図２に示すように、イオン静電気除去装置６４５は、高電圧を発生させる高電圧発生回路部６４６ａ、６４６ｂと、この回路部６４６ａ，６４６ｂに設けられた電極であって回路部６４６ａ，６４６ｂからの高電圧が印加されることで空気をイオン化するニードル電極（除電部の一例）６４７ａ，６４７ｂと、回路部６４６ａ，６４６ｂに電力を供給する電源部６４８とを備えている。ニードル電極６４７ａ，６４７ｂは、いずれも正極と負極との一対の電極からなっており、回路部６４６ａ，６４６ｂから高電圧が印加されることで、空気をイオン化するための電界が形成される。
【００３８】
そして、フィルム搬送方向Ｙにおいて開口孔Ｈａ，Ｈｂより上流側近傍にそれぞれ設けられた前記の埃除去ブラシ６４４ａ，６４４ｂは、本例では、イオン静電気除去装置６４５のニードル電極６４７ａ，６４７ｂと写真フィルムＦとの間に配置されている。さらに、このフィルムキャリア６４０では、埃除去ブラシ６４４ａ，６４４ｂ及びイオン静電気除去装置６５４のニードル電極６４７ａ，６４７ｂは、フィルム搬送方向Ｙにおいてフィルム搬送路６４１における写真フィルムＦに接触され得る箇所（例えば、ガイド部６４ｂ”）より上流側近傍に配置されている。
【００３９】
次に、図１に示す写真処理装置Ａの処理工程について図４を参照しながら説明する。図４に図１に示す写真処理装置Ａの処理工程を説明するための図を示す。
【００４０】
簡単に工程の流れを追いつつ主要構成を以下に説明する。画像露光現像装置２は、前記した露光装置６３、現像処理装置６１、乾燥処理部４及び回収部５の他、搬送装置４３等を具備している。
【００４１】
画像処理装置１において、スキャナー６００が写真フィルムＦの画像情報を走査読み取りする。制御部９１では、画像処理されたデジタル画像が露光データとして決定される。
【００４２】
画像露光現像装置２において、感光材料４０がマガジン４２から引き出され、搬送装置４３のうちのローラ等によって搬送される。感光材料は、例えば、定寸に切断され、露光装置部４１において、露光装置６３によって、感光材料４０が露光される。
【００４３】
現像処理装置６１では、感光材料４０に対して、現像、定着、水洗等の種々の化学的処理（薬液Ｓ等）が行われ、さらに乾燥処理部４では、乾燥処理が行われ、かかる一連の工程が自動的になされる。そして搬送装置４３は、これらの工程において感光材料４０を搬送する。
【００４４】
以上のように写真処理動作が行われる写真処理装置Ａでは、図２に示すように、写真フィルムＦの写真画像を読み取るにあたって、フィルム搬送路６４１のフィルム挿入口からフィルムＦが挿入されると、該フィルムＦは、回転する搬送ローラ６４１ａ，６４１ｂで挟持された状態で画像読取部６４２に向けてフィルム搬送方向Ｙにフィルム搬送路６４１を搬送される。このとき、電源部６４８から高電圧発生回路部６４６ａ、６４６ｂに電力が供給されており、この回路部６４６ａ、６４６ｂからの高電圧によるニードル電極６４７ａ，６４７ｂが形成する電界によって空気がイオン化する。本例では、埃除去ブラシ６４４ａ，６４４ｂがニードル電極６４７ａ，６４７ｂとフィルムＦとの間に配置されているので、ニードル電極６４７ａ，６４７ｂが、埃除去ブラシ６４４ａ，６４４ｂ近傍の空気をイオン化する。そして、該イオン化された空気によりフィルムＦの両面における静電気を中和する。これにより、該静電気を除電しつつ埃除去ブラシ６４４ａ，６４４ｂがフィルムＦの該静電気が除電された面における埃を除去する。
【００４５】
このように埃が除去された写真フィルムＦは、画像読取部６４２に到来し、従動ローラ６４２ａ及び駆動ローラ６４２ｂによってさらに搬送されて、例えば、ガイド部６４ｂ”に接触されつつ、開口孔Ｈａ，Ｈｂで光源部６１０のＬＥＤ素子６１１によって光Ｌが照射されるとともに、ＬＥＤ素子６１１からフィルムＦを通過してくる画像光Ｌ’が撮像部６２０内のライン状撮像素子６２１によって受光されて画像データとして順次読み取られる。
【００４６】
以上説明したフィルムキャリア６４０では、該フィルムキャリア６４０内において、イオン静電気除去装置６４５を備えており、このイオン静電気除去装置６４５のニードル電極６４７ａ，６４７ｂが、写真フィルムＦの両面に臨むように設けられ、該フィルム面における空気をイオン化し、該イオン化された空気により該フィルム面における静電気を中和することで該静電気を除電する。また、該フィルムキャリア６４０内において、埃除去ブラシ６４４ａ，６４４ｂを備えており、この埃除去ブラシ６４４ａ，６４４ｂが、フィルムＦの両面における埃を除去する。
【００４７】
このようにフィルムキャリア６４０によると、該フィルムキャリア６４０内において設けられたイオン静電気除去装置６４５のニードル電極６４７ａ，６４７ｂが写真フィルムＦの両面における静電気を除電し、また、該フィルムキャリア６４０内において設けられた埃除去ブラシ６４４ａ，６４４ｂがフィルムＦの両面における埃を除去するので、例えば、フィルムＦがフィルムキャリア６４０にセットされるまでの間に静電気を帯び、フィルムＦがフィルムキャリア６４０にセットされるときに、この静電気により、埃が付着していることがあっても、該フィルムキャリア６４０内において、フィルムＦにおける埃を、フィルムＦにおける静電気を抑制した状態で、良好に除去でき、それだけプリント画像への埃の写り込みや埃によるフィルムＦへのキズ付きといった埃による影響を抑制することができる。
【００４８】
また、本例では、埃除去ブラシ６４４ａ，６４４ｂ及びイオン静電気除去装置６４５のニードル電極６４７ａ，６４７ｂは、フィルム搬送方向Ｙにおいて開口孔Ｈａ，Ｈｂより上流側近傍に配置されているので、開口孔Ｈａ，Ｈｂよりフィルム搬送方向Ｙ上流側でフィルムＦにおける埃が除去され、それだけプリント画像への埃の写り込みを抑制することができる。
【００４９】
さらに、本例では、埃除去ブラシ６４４ａ，６４４ｂ及びイオン静電気除去装置６４５のニードル電極６４７ａ，６４７ｂは、フィルム搬送方向Ｙにおいてフィルム搬送路６４１における写真フィルムＦに接触され得る箇所（例えば、ガイド部６４ｂ”）より上流側近傍に配置されているで、フィルム搬送路６４１におけるフィルムＦに接触され得る箇所６４ｂ”よりフィルム搬送方向Ｙ上流側でフィルムＦにおける埃が除去され、それだけ埃によるフィルムＦへのキズ付きを抑制することができる。
【００５０】
さらに、本例では、埃除去ブラシ６４４ａ，６４４ｂがイオン静電気除去装置６５４のと写真フィルムＦとの間に配置され、イオン静電気除去装置６５４のニードル電極６４７ａ，６４７ｂが、埃除去ブラシ６４４ａ，６４４ｂ近傍の空気をイオン化し、該イオン化された空気により写真フィルムＦの両面における静電気を中和することで該静電気を除電しつつ埃除去ブラシ６４４ａ，６４４ｂがフィルムＦの該静電気が除電された面における埃を除去するので、換言すれば、フィルムＦにおける静電気の除電後にフィルムＦが再度帯電されることなしにフィルムＦにおける埃を除去するので、該フィルムＦにおける埃を、該フィルムＦにおける静電気を確実に除去した状態で、除去することができる。
【００５１】
なお、本例ではフィルムキャリアは、光照射された写真フィルムからの画像光を画像読取装置（例えば、スキャナー）にて画像情報として読み取り、該読み取った画像情報を画像処理し、さらに該画像処理された画像情報に基づいて画像光を形成し、該画像光を感光材料に照射してプリントするような写真処理装置に用いるが、光照射された写真フィルムからの画像光を感光材料に照射してプリントするような写真処理装置に用いてもよい。
【図面の簡単な説明】
【００５２】
【図１】本発明に係るフィルムキャリアの一例を備えた写真処理装置の一実施形態の全体概略図である。
【図２】図１に示すスキャナーの要部概略断面図である。
【図３】図１に示すスキャナーに配置されるフィルムキャリアの開いた状態の概略斜視図である。
【図４】図１に示す写真処理装置の処理工程を説明するための図である。
【符号の説明】
【００５３】
６１１…光源  ６４０…フィルムキャリア  ６４１…フィルム搬送路
６４４ａ，６４４ｂ…埃除去ブラシ  ６４５…イオン静電気除去装置
６４７ａ，６４７ｂ…除電部  Ｆ…写真フィルム  Ｈａ，Ｈｂ…開口孔
【図１】
2005099250.tif 000003
【図２】
2005099250.tif 000004
【図３】
2005099250.tif 000005
【図４】
2005099250.tif 000006